(57)【要約】      （修正有）【課題】酵素活性の持続性が良く、特に、衣料用に高温でも高い洗浄性を持つ高温洗浄用液体洗剤組成物を提供。【解決手段】下記式で表される化合物及びその塩からなる群より選ばれる少なくとも１種の化合物（Ａ）、酵素（ａ）、界面活性剤（ｂ）及び水を含有する高温洗浄用液体洗剤組成物。2011174054.tif 000017［式中、Ｘはイミノ基、酸素原子又は硫黄原子を表す。］【選択図】なし【特許請求の範囲】
【請求項１】
下記一般式（１）で表される化合物及びその塩からなる群より選ばれる少なくとも１種の化合物（Ａ）、酵素（ａ）、界面活性剤（ｂ）及び水を含有する高温洗浄用液体洗剤組成物。
【化１】
2011174054.tif 000015
［式中、Ｘはイミノ基、酸素原子又は硫黄原子を表す。］
【請求項２】
化合物（Ａ）がグアニジン塩酸塩である請求項１に記載の高温洗浄用液体洗剤組成物。
【請求項３】
さらに下記一般式（２）で表される化合物（Ｂ）を含有する請求項１又は２に記載の高温洗浄用液体洗剤組成物。
【化２】
2011174054.tif 000016
［式中、Ｑは、アルキル基を表し、アルキル基中の水素原子の一部が水素原子以外の基に置換されていてもよい。］
【請求項４】
酵素（ａ）がプロテアーゼ、セルラーゼ、アミラーゼ及びリパーゼからなる群より選ばれる少なくとも１種の酵素である請求項１〜３のいずれかに記載の高温洗浄用液体洗剤組成物。
【請求項５】
化合物（Ａ）の含有量が液体洗剤組成物の重量を基準として０．０１〜３０重量％である請求項１〜４のいずれかに記載の高温洗浄用液体洗剤組成物。
【請求項６】
請求項１に記載の高温洗浄用液体洗剤組成物を用いて、３０〜７０℃の温度で洗浄する洗浄方法。
【請求項７】
３０〜７０℃の温度を維持する時間が１０分以上である請求項６に記載の洗浄方法。
【請求項８】
衣料を洗浄する請求項６又は７に記載の洗浄方法。
【請求項９】
請求項６〜８のいずれかに記載の洗浄方法で使用する、洗浄液を温度調整する機構を備えた洗濯機。
【発明の詳細な説明】
【技術分野】
【０００１】
本発明は、高温洗浄用液体洗剤組成物、洗浄方法及び洗濯機に関する。
【背景技術】
【０００２】
衣料はその種類によって汚れが異なる。汚れの中で皮脂汚れ、タンパク汚れ及び粒子汚れ等の複合汚れは洗浄が困難であると考えられている。従来、このような汚れに対しては、皮脂汚れ除去及び粒子汚れの分散に優れた界面活性剤、タンパク汚れ分解に優れたプロテアーゼのような酵素を含む洗剤が有効であることが知られている。
【０００３】
周知の通り、酵素は分解力の高さから今や洗剤に欠かすことのできないものとなっている。一方、洗剤は使い勝手の点で従来の固形洗剤から液体洗剤へ形態が変わりつつある。しかしながら、酵素は水溶液中で酵素活性の持続性が悪く、貯蔵中に酵素活性が著しく低下するといった問題が発生している。そのため、酵素の酵素活性の持続性が高く洗浄力を維持できる液体洗剤を提供することが大きな課題になっている。
【０００４】
例えばプロテアーゼ阻害剤を添加することにより、酵素活性の持続性の改善が行われてきた。非特許文献１には、ボロニックアシッドがセリンプロテアーゼ、ズブチリシンを阻害する旨の記載がある。特許文献１には４−置換フェニルボロン酸がプロテアーゼ、サビナーゼを阻害する旨の記載がある。
また、酵素を安定化するために、特許文献２にはポリオール（例えば１，２−プロパンジオール、ソルビトール、グリセロール）を添加することも記載されている。
しかしながらこれらの組成物を含む液体洗剤では、一定の効果はあるものの、貯蔵時の酵素活性の低下を十分抑えることができるとは言えず、消費者のニーズに十分対応できる洗浄性を得ることができない。
さらに、これらの液体洗剤では、高温で洗浄しても、依然として十分な洗浄性を満足することができない。
なお、本発明において、「酵素活性の持続性が良い」とは、一定期間保管した後に測定した酵素活性と、保管する直前に測定した酵素活性との差が小さく、一定の酵素活性を示すことを意味する。また、「高温洗浄性が良い」とは、３０〜７０℃の高温で洗浄したときの洗浄性が高いことを意味する。
【先行技術文献】
【特許文献】
【０００５】
【特許文献１】特表平１１−５０７６８０号公報
【特許文献２】特開２００９−５０７０８５号公報
【非特許文献】
【０００６】
【非特許文献１】Ｍｏｌｅｃｕｌａｒ  ＆  Ｃｅｌｌｕｌａｒ  Ｂｉｏｃｈｅｍｉｓｔｒｙ，５１，１９８３，ｐ５−ｐ３２
【発明の概要】
【発明が解決しようとする課題】
【０００７】
本発明は、酵素の酵素活性の持続性が良く、高い洗浄性を持つ高温洗浄用液体洗剤組成物；洗浄方法；洗濯機を提供すること、特に、衣料用に高い洗浄性能を実現できる高温洗浄用液体洗剤組成物；洗浄方法；洗濯機を提供することを課題とする。
【課題を解決するための手段】
【０００８】
本発明者は、上記の目的を達成するべく検討を行った結果、本発明に到達した。
すなわち、本発明は、下記一般式（１）で表される化合物及びその塩からなる群より選ばれる少なくとも１種の化合物（Ａ）、酵素（ａ）、界面活性剤（ｂ）及び水を含有する高温洗浄用液体洗剤組成物；該高温洗浄用液体洗剤組成物を用いて、３０〜７０℃の温度で洗浄する洗浄方法；該洗浄方法で使用する、洗浄液を温度調整する機構を備えた洗濯機である。
【０００９】
【化１】
2011174054.tif 000002
【００１０】
［式（１）中、Ｘはイミノ基、酸素原子又は硫黄原子を表す。］
【発明の効果】
【００１１】
本発明の高温洗浄用液体洗剤組成物は、長期的に高い洗浄性を保つことができ、さらに、高温でも高い洗浄性を有する。
【発明を実施するための形態】
【００１２】
本発明の高温洗浄用液体洗剤組成物は、下記一般式（１）で表される化合物及びその塩からなる群より選ばれる少なくとも１種の化合物（Ａ）、酵素（ａ）、界面活性剤（ｂ）及び水を含有する高温洗浄用液体洗剤組成物である。
【００１３】
【化２】
2011174054.tif 000003
【００１４】
［式（１）中、Ｘはイミノ基、酸素原子又は硫黄原子を表す。］
【００１５】
酵素を液体洗剤中で保存すると、酵素が凝集や加水分解等を起こし酵素活性（力価）が著しく低下するという問題点があるが、本発明では、特定の化学構造を有する上記の化合物（Ａ）を液体洗剤組成物に含有させることにより解決できる。
【００１６】
本発明の洗剤組成物を使用して洗浄する際の洗浄温度は、洗浄性の観点で、３０℃〜７０℃が好ましく、さらに好ましくは３５℃〜６０℃、次にさらに好ましくは４０℃〜５０℃である。
【００１７】
一般式（１）で表される化合物として、具体的にはグアニジン、尿素及びチオ尿素が挙げられる。
【００１８】
一般式（１）で表される化合物の塩としては、塩酸塩、炭酸塩、ホウ酸塩、硫酸塩及びリン酸塩等が挙げられ、具体的にはグアニジンの塩が挙げられる。
【００１９】
化合物（Ａ）としては、酵素活性の持続性及び高温洗浄性の観点で、グアニジンの塩及び尿素が好ましく、さらに好ましくはグアニジンの塩、次にさらに好ましくはグアニジン塩酸塩である。
【００２０】
本発明の高温洗浄用液体洗剤組成物中に含まれる化合物（Ａ）の含有量（重量％）は、酵素活性の持続性及び高温洗浄性の観点から液体洗剤組成物の重量に対し０．０１〜３０が好ましく、さらに好ましくは０．０２〜１０、次にさらに好ましくは０．０３〜５、特に好ましくは０．０５〜３である。
本発明の高温洗浄用液体洗剤組成物中に含まれる化合物（Ａ）の含有量は、酵素活性の持続性及び高温洗浄性の観点から、酵素（ａ）の重量に対し、１〜１０００重量％が好ましく、さらに好ましくは５〜５００重量％、次にさらに好ましくは１０〜３００重量％である。
【００２１】
本発明の高温洗浄用液体洗剤組成物は、さらに下記一般式（２）で表される化合物（Ｂ）を含有することができる。酵素活性の持続性及び高温洗浄性の観点から、（Ｂ）を含有することが好ましい。
【００２２】
【化３】
2011174054.tif 000004
【００２３】
一般式（２）中、Ｑはアルキル基を表し、アルキル基中の水素原子の一部が水素原子以外の置換基に置換されていてもよい。
【００２４】
Ｑのアルキル基としては炭素数１〜２２のアルキル基が挙げられ、具体的にメチル基、エチル基、プロピル基、ブチル基、ペンチル基、ヘキシル基、オクチル基、ノニル基、デシル基、ドデシル基、セチル基、ステアリル基及びベヘニル基等が挙げられる。これらのアルキル基中の水素原子の一部が水素原子以外の置換基に置換されてもよい。
水素原子以外の置換基としては、アミノ基、カルボキシル基、アミド基、エステル基、イミノ基及びヒドロキシル基等が挙げられる。置換基の数は１〜３が好ましく、さらに好ましくは２〜３である。例えばＱがブチル基の場合、ブチル基末端の水素原子２つが１つのアミノ基及び１つのカルボキシル基で置換された場合は、（Ｂ）はアルギニンを表す。
【００２５】
化合物（Ｂ）としては、アルギニン又はその塩（Ｂ−１）、アルギニン誘導体又はその塩（Ｂ−２）及びグアニジン誘導体又はその塩（Ｂ−３）が挙げられる。
【００２６】
アルギニン又はその塩（Ｂ−１）として、アルギニン、アルギニンの無機酸塩（塩酸塩、ホウ酸塩、リン酸塩、ピロリン酸塩、硫酸塩及びケイ酸塩等）及びアルギニンの有機酸塩（ギ酸塩、酢酸塩、シュウ酸塩、乳酸塩、クエン酸塩、トリメリット酸塩及びピロメリット酸塩等）が挙げられる。
【００２７】
アルギニン誘導体又はその塩（Ｂ−２）において、アルギニン誘導体は下記一般式（３）で表されるアルギニンのα−アミノ基若しくはα−カルボキシル基又はこれらの両方の基が置換された誘導体である。
α−アミノ基の置換は、下記一般式（４）で表されるＮ−アルキルカルボニル−アミド基（Ｙ−１）又は一般式（５）で表されるイミノ基（Ｙ−２）への置換であり、α−カルボキシル基の置換は下記一般式（６）で表されるエステル基（Ｚ−１）又は下記一般式（７）で表されるＮ−アルキルアミド基（Ｚ−２）への置換である。
【００２８】
言い換えると、アルギニン誘導体又はその塩（Ｂ−２）では、α−アミノ基又はα−カルボキシル基の少なくともいずれか一方が置換されている。すなわち、Ｙがアミノ基の場合、Ｚは下記一般式（６）で表されるエステル基（Ｚ−１）又は下記一般式（７）で表されるＮ−アルキルアミド基（Ｚ−２）であり、Ｚがカルボキシル基の場合は、Ｙは下記一般式（４）で表されるＮ−アルキルカルボニル−アミド基（Ｙ−１）又は下記一般式（５）で表されるイミノ基（Ｙ−２）である。
【００２９】
【化４】
2011174054.tif 000005
【００３０】
一般式（３）中、Ｙはアミノ基、下記一般式（４）で表されるＮ−アルキルカルボニル−アミド基（Ｙ−１）又は下記一般式（５）で表されるイミノ基（Ｙ−２）を表す。Ｚは、カルボキシル基、下記一般式（６）で表されるエステル基（Ｚ−１）又は下記一般式（７）で表されるＮ−アルキルアミド基（Ｚ−２）を表す。
【００３１】
【化５】
2011174054.tif 000006
【００３２】
一般式（４）中、Ｒ1は、水素原子又は炭素数１〜３６の１価の炭化水素基を表し、この炭化水素基はその水素原子の一部が水素原子以外の他の官能基に置換されていてもよい。
【００３３】
一般式（４）で表されるＮ−アルキルカルボニル−アミド基（Ｙ−１）におけるＲ1の炭化水素基としては、炭素数１〜３６の１価の炭化水素基であり、直鎖又は分岐の脂肪族炭化水素基、脂環式炭化水素基及び芳香族炭化水素基が含まれる。
直鎖の脂肪族炭化水素基としては、メチル基、エチル基、プロピル基、ブチル基、ペンチル基、ヘキシル基、オクチル基、ノニル基、デシル基、ラウリル基、パルミチル基、ステアリル基、オレイル基及びベヘニル基等が挙げられる。
分岐の脂肪族炭化水素基としては、イソプロピル基及びｔ−ブチル基等が挙げられる。
脂環式炭化水素基としては、シクロヘキシル基、メチルシクロヘキシル基及びシクロヘキシルメチル基等が挙げられる。
芳香族炭化水素基としては、フェニル基、メチルフェニル基、ベンジル基、フェニルエチル基及びメチルベンジル基等が挙げられる。
これらの炭化水素基のうち、酵素活性の持続性及び高温洗浄性の観点から、直鎖の脂肪族炭化水素基が好ましく、さらに好ましくはメチル基及びエチル基、最も好ましくはメチル基である。
水素原子以外の置換基としては、アミノ基、カルボキシル基、アミド基、エステル基、イミノ基及びヒドロキシル基等が挙げられる。
【００３４】
一般式（４）で表されるＮ−アルキルカルボニル−アミド基（Ｙ−１）として具体的には、ホルムアミド基、アセチルアミド基、プロピオン酸アミド基、ブチル酸アミド基、ヘキシル酸アミド基、シクロヘキシル酸アミド基、オクチル酸アミド基及びベンゾイルアミド基等が挙げられる。
【００３５】
【化６】
2011174054.tif 000007
【００３６】
一般式（５）中、Ｒ2とＲ3はそれぞれ独立に、水素原子又は炭素数１〜３６の炭化水素基を表し、これらの炭化水素基はその水素原子の一部が水素原子以外の他の官能基に置換されていてもよい。
【００３７】
一般式（５）で表されるイミノ基（Ｙ−２）において、Ｒ2とＲ3は、Ｒ1と同様の炭化水素基が含まれ、これらの炭化水素基はＲ1と同様に、その一部が他の官能基に置換されていてもよい。
【００３８】
一般式（５）で表されるイミノ基（Ｙ−２）としては、メチルイミノ基等が挙げられる。
【００３９】
【化７】
2011174054.tif 000008
【００４０】
一般式（６）中、Ｒ4は、炭素数１〜３６の炭化水素基を表す、又は多価アルコール若しくは糖から１つのヒドロキシル基を除いた残基を表す。
この炭化水素基はその水素原子一部が他の官能基、例えば、ヒドロキシル基、メトキシル基、エトキシル基、ニトロ基及びヒドロキシフェニル基からなる群より選ばれる官能基で置換されていてもよい。
【００４１】
一般式（６）で表されるエステル基（Ｚ−１）において、Ｒ4が炭素数１〜３６の炭化水素基の場合、その炭化水素基は、前記Ｒ1と同様の炭化水素基が含まれる。
Ｒ4が炭素数１〜３６の炭化水素基の場合、これらの炭化水素基のうち、酵素活性の持続性の及び高温洗浄性観点から、直鎖の脂肪族炭化水素基が好ましく、さらに好ましくはメチル基及びエチル基、最も好ましくはエチル基である。
【００４２】
多価アルコールとしては、２価〜３価のアルコールが含まれ、エチレングリコール、プロピレングリコール、ジエチレングリコール及びグリセリン等が挙げられる。
糖としては、グルコース、スクロース、ソルビトール、マンニトール及びトレハロース等が挙げられる。
【００４３】
【化８】
2011174054.tif 000009
【００４４】
一般式（７）中、Ｒ5は、水素原子又は炭素数１〜３６の炭化水素基を表し、この炭化水素基はその水素原子の一部が水素原子以外の他の官能基に置換されていてもよい。
【００４５】
一般式（７）で表されるＮ−アルキルアミド基（Ｚ−２）において、Ｒ5が炭素数１〜３６の炭化水素基の場合、その炭化水素基としては、前記Ｒ1と同様の炭化水素基が含まれ、これらの炭化水素基はＲ1と同様に、その一部が他の官能基に置換されていてもよい。
Ｒ5が炭素数１〜３６の炭化水素基の場合、これらの炭化水素基のうち、酵素活性の持続性及び高温洗浄性の観点から、直鎖の脂肪族炭化水素基が好ましく、さらに好ましくはメチル基及びエチル基、最も好ましくはメチル基である。
【００４６】
アルギニン誘導体又はその塩（Ｂ−２）がアルギニン誘導体の塩の場合、無機酸塩（塩酸塩、ホウ酸塩、リン酸塩、ピロリン酸塩、硫酸塩及びケイ酸塩等）及び有機酸塩（ギ酸塩、酢酸塩、シュウ酸塩、乳酸塩、クエン酸塩、トリメリット酸塩及びピロメリット酸塩等）が挙げられる。
【００４７】
アルギニン誘導体又はその塩（Ｂ−２）の化合物として具体的に、Ｎ−アセチルアルギニンエチルエステル塩酸塩が挙げられる。
【００４８】
グアニジン誘導体又はその塩（Ｂ−３）としては、Ｑを特に限定するものではないが、具体的にアミノグアニジン（−ＮＨ2）、ジシアンジアミド（−ＣＮ）、グアニルチオウレア（−Ｃ（＝Ｓ）ＮＨ2）、ドデシルグアニジン（−Ｃ12Ｈ25）、エチルグアニジン（−Ｃ2Ｈ5）、オクチルグアニジン（−Ｃ8Ｈ17）及びビグアニド（−Ｃ（＝ＮＨ）ＮＨ2）が挙げられる。ここで、（）内はＱの官能基を表す。
【００４９】
これらのうち、高温洗浄用液体洗剤組成物の酵素活性の持続性及び高温洗浄性の観点で、好ましくは（Ｂ−１）及び（Ｂ−２）であり、さらに好ましくは、（Ｂ−２）であり、特に好ましいのはＮ−アセチルアルギニンエチルエステル塩酸塩である。
【００５０】
本発明の高温洗浄用液体洗剤組成物中に含まれる化合物（Ｂ）の含有量（重量％）は、酵素活性の持続性及び高温洗浄性の観点から液体洗剤組成物の重量に対し０．０１〜３０が好ましく、さらに好ましくは０．０３〜１０、次にさらに好ましくは０．０５〜５である。
本発明の高温洗浄用液体洗剤組成物中に含まれる化合物（Ｂ）の含有量は、酵素活性の持続性及び高温洗浄性の観点から、酵素の重量に対し、１〜１０００重量％が好ましく、さらに好ましくは５〜５００重量％であり、次にさらに好ましくは１０〜３００重量％である。
【００５１】
本発明の高温洗浄用液体洗剤組成物は化合物（Ａ）のみを含有すればよいが、酵素の酵素活性及び高温洗浄性の持続性の観点から、化合物（Ａ）及び化合物（Ｂ）を含有することが好ましい。
【００５２】
（Ａ）及び（Ｂ）を含有する場合、（Ａ）と（Ｂ）との重量比（（Ａ）の重量／（Ｂ）の重量）は０．１〜９が好ましく、さらに好ましくは０．２〜８であり、特に好ましくは０．５〜５である。
【００５３】
本発明における必須成分である酵素（ａ）としては、プロテアーゼ（ａ−１）、セルラーゼ（ａ−２）、アミラーゼ（ａ−３）、リパーゼ（ａ−４）及びオキシドレダクターゼ（ａ−５）が含まれる。
【００５４】
プロテアーゼ（ａ−１）としては、動物、植物又は微生物起源のものが含まれ、入手しやすさの観点から、微生物起源のものが好ましい。化学的に、又は遺伝子的に修飾された変異体も含まれる。プロテアーゼのうち、洗浄性の観点から、セリンプロテアーゼが好ましく、より好ましくはアルカリ性微生物プロテアーゼ及びトリプシン様プロテアーゼである。
【００５５】
アルカリ性微生物プロテアーゼとしては、サブチリシン、特にバシラス菌（Ｂａｃｉｌｌｕｓ）由来のもの、例えばサブチリシン  Ｎｏｖｏ、サブチリシン  Ｃａｒｌｓｂｅｒｇ、サブチリシン  ３０９、サブチリシン  １４７及びサブチリシン  １６８が挙げられる。
トリプシン様プロテアーゼとしては、トリプシン（例えば、ブタ又はウシ起源のもの）及びフザリウム（Ｆｕｓａｒｉｕｍ）プロテアーゼが挙げられる。
市販のプロテアーゼとしては、ノボザイムス社のＡｌｃａｌａｓｅTM、ＳａｖｉｎａｓｅTM、ＰｒｉｍａｓｅTM、ＤｕｒａｚｙｍTM及びＥｓｐｅｒａｓｅTM並びにジェネンコア社のＰｕｒａｆｅｃｔTM及びＰｕｒａｆｅｃｔ  ＯＸＰTM等が挙げられる。
【００５６】
セルラーゼ（ａ−２）としては、細菌又は真菌起源のものが含まれる。化学的に、又は遺伝子的に修飾された変異体も含まれる。セルラーゼとしては、フミコーラ・インソレンス（Ｈｕｍｉｃｏｌａ  ｉｎｓｏｌｅｎｓ）から生産される真菌セルラーゼとして米国特許第４，４３５，３０７号明細書に開示されているものが含まれる。また、特に適当なセルラーゼは色彩保護（ｃｏｌｏｒ  ｃａｒｅ）に役立つセルラーゼであり、欧州特許出願第０  ４９５  ２５７号明細書に記載されたセルラーゼが含まれる。
市販のセルラーゼとしては、フミコーラ・インソレンス（Ｈｕｍｉｃｏｌａ  ｉｎｓｏｌｅｎｓ）の株により生産されたノボザイムス社のＣｅｌｌｕｚｙｍｅTM及び花王社のＫＡＣ−５００（Ｂ）TMが挙げられる。
【００５７】
アミラーゼ（ａ−３）としては、細菌又は真菌起源のものが含まれる。化学的に、又は遺伝子的に修飾された変異体も含まれる。アミラーゼとしては、例えば、英国特許第１，２９６，８３９号明細書に詳細に記載されているＢ．リヘニフォルミス（Ｂ．  ｌｉｃｈｅｎｉｆｏｒｍｉｓ）の特殊株から得られるα−アミラーゼが挙げられる。
市販のアミラーゼとしては、ノボザイムス社の  ＤｕｒａｍｙｌTM、ＴｅｒｍａｍｙｌTM、ＦｕｎｇａｍｙｌTM及びＢＡＮTM並びにＧｉｓｔ−Ｂｒｏｃａｄｅｓ社のＲａｐｉｄａｓｅTM及びＭａｘａｍｙｌ  ＰTMが挙げられる。
【００５８】
リパーゼ（ａ−４）としては、細菌又は真菌起源のものが含まれる。化学的に、又は遺伝子的に修飾された変異体も含まれる。リパーゼの例としては、フミコーラ・ランギノーザ（Ｈｕｍｉｃｏｌａ  ｌａｎｕｇｉｎｏｓａ）リパーゼ（欧州特許第２５８  ０６８号明細書及び欧州特許第３０５  ２１６号明細書）、リゾムーコル・ミーヘイ（Ｒｈｉｚｏｍｕｃｏｒ  ｍｉｅｈｅｉ）リパーゼ及びカンジダ（Ｃａｎｄｉｄａ）リパーゼ（欧州特許第２３８  ０２３号明細書）、Ｃ．アンタークティカ（Ｃ．  ｎｔａｒｃｔｉｃａ）リパーゼＡ及びＢ、シュードモナス（Ｐｓｅｕｄｏｍｏｎａｓ  ）リパーゼ（欧州特許第２１４  ７６１号明細書）、Ｐ．シュードアルカリゲネス（Ｐ．  ｐｓｅｕｄｏａｌｃａｌｉｇｅｎｅｓ）及びＰ．アルカリゲネス（Ｐ．  ａｌｃａｌｉｇｅｎｅｓ）リパーゼ（欧州特許第２１８  ２７２号明細書）、Ｐ．セパシア（Ｐ．  ｃｅｐａｃｉａ）リパーゼ（欧州特許第３３１  ３７６号明細書）、Ｐ．スタッツェリ（Ｐ．  ｓｔｕｔｚｅｒｉ）リパーゼ、Ｐ．フルオレッセンス（Ｐ．  ｆｌｕｏｒｅｓｃｅｎｓ）リパーゼ及びバシラス（Ｂａｃｉｌｌｕｓ）リパーゼ（英国特許第１，３７２，０３４号明細書）、Ｂ．サチリス（Ｂ．  ｓｕｂｔｉｌｉｓ）リパーゼ（Ｄａｒｔｏｉｓ  他（１９９３），  Ｂｉｏｃｈｅｍｉｃａ  ｅｔ  Ｂｉｏｐｈｙｓｉｃａ  Ａｃｔａ１１３１，２５３−２６０）、Ｂ．ステアロサーモフィラス（Ｂ．  ｓｔｅａｒｏｔｈｅｒｍｏｐｈｉｌｕｓ）リパーゼ（特公昭６４−７４４９９２号公報）並びにＢ．ピュミルス（Ｂ．  ｐｕｍｉｌｕｓ）リパーゼ（国際公開第９１／１６４２２号）が挙げられる。
【００５９】
市販のリパーゼとしては、ジェネンコア社の  Ｍ１  ＬｉｐａｓｅTM、Ｌｕｍａ  ｆａｓｔTM及びＬｉｐｏｍａｘTM、ノボザイムス社のＬｉｐｏｌａｓｅTM及びＬｉｐｏｌａｓｅ  ＵｌｔｒａTM並びに天野エンザイム社のＬｉｐａｓｅ  Ｐ“Ａｍａｎｏ”TMが挙げられる。
【００６０】
オキシドレダクターゼ（ａ−５）としては、ペルオキシダーゼ及びオキシダーゼ（例えばラッカーゼ）が含まれる。
ペルオキシダーゼとしては、植物、細菌又は真菌起源のものが含まれる。化学的に、又は遺伝子的に修飾された変異体も含まれる。ペルオキシダーゼとしては、コプリナス（Ｃｏｐｒｉｎｕｓ）（例えばＣ．シネレウス（Ｃｏｐｒｉｎｕｓ  ｃｉｎｅｒｅｕｓ）又はＣ．マクロリザス（Ｃ．  ｍａｃｒｏｒｈｉｚｕｓ）の菌株由来のもの）、バシラス（Ｂａｃｉｌｌｕｓ）（Ｂ．ピュミラス（Ｂ．  ｐｕｍｉｌｕｓ）の菌株由来のもの）及び国際公開第９１／０５８５８号に記載されたペルオキシダーゼが好ましく、特に好ましくは国際公開第９１／０５８５８号に記載されたペルオキシダーゼである。
ラッカーゼとしては、細菌又は真菌起源のものが含まれる。ラッカーゼとしては、トラメテス（Ｔｒａｍｅｔｅｓ）（例えばＴ．ビロサ（Ｔ．  ｖｉｌｌｏｓａ）又はＴ．ベルシコロール（Ｔ．  ｖｅｒｓｉｃｏｌｏｒ）の菌株由来のもの］、コプリナス（Ｃｏｐｒｉｎｕｓ）［例えばＣ．シネレウス（Ｃ．  ｃｉｎｅｒｅｕｓ）の菌株由来のもの］及びミセリオフトラ（Ｍｙｃｅｌｉｏｐｈｔｈｏｒａ）［例えばＭ．サーモフィラ（Ｍ．  ｔｈｅｒｍｏｐｈｌｌａ）の菌株由来のもの］が挙げられる。
【００６１】
上記の酵素のうち、タンパク汚れ、脂汚れ、粒子汚れ及び炭水化物汚れに対する洗浄性の観点で、プロテアーゼ（ａ−１）、セルラーゼ（ａ−２）、アミラーゼ（ａ−３）及びリパーゼ（ａ−４）が好ましく、さらに好ましくは、プロテアーゼ（ａ−１）である。
【００６２】
本発明において高温洗浄用液体洗剤組成物に含まれる酵素（ａ）は、洗浄性の観点で２種以上を含むことができる。２種以上を含む場合の組み合わせとしては、プロテアーゼとセルラーゼ、プロテアーゼとセルラーゼとリパーゼ、プロテアーゼとアミラーゼ、及びプロテアーゼとセルラーゼとアミラーゼ等の組み合わせが挙げられる。
【００６３】
本発明の高温洗浄用液体洗剤組成物に含まれる酵素（ａ）の含有量は、洗浄性の観点から液体洗剤組成物の重量に対し、０．０１〜５重量％が好ましく、さらに好ましくは０．０５〜２重量％、０．１〜１重量％である。
【００６４】
本発明の必須成分である界面活性剤（ｂ）はノニオン性界面活性剤（ｂ−１）、アニオン性界面活性剤（ｂ−２）、カチオン性界面活性剤（ｂ−３）及び両性界面活性剤（ｂ−４）が挙げられる。
【００６５】
ノニオン性界面活性剤（ｂ−１）としては、脂肪族アルコール（炭素数８〜２４）アルキレンオキサイド（炭素数２〜８）付加物（重合度＝１〜１００）［オレイルアルコールエチレンオキサイド１１モル付加物等］、脂肪族アミン（炭素数８〜２４）アルキレンオキサイド（炭素数２〜８）付加物（重合度＝１〜１００）［ヘキサデシルアミンエチレンオキサイドプロピレンオキサイド付加物、ラウリルアミンエチレンオキサイド付加物、ステアリルアミンエチレンオキサイドプロピレンオキサイド付加物等］、（ポリ）オキシアルキレン（炭素数２〜８、重合度＝１〜１００）グリコール高級脂肪酸（炭素数８〜２４）エステル［モノステアリン酸ポリエチレングリコール（重合度＝２０）及びジステアリン酸ポリエチレングリコール（重合度＝３０）等］、多価（２価〜１０価又はそれ以上）アルコール脂肪酸（炭素数８〜２４）エステル［モノステアリン酸グリセリン、モノステアリン酸エチレングリコール及びモノラウリン酸ソルビタン等］、多価（２価〜１０価又はそれ以上）アルコール高級脂肪酸（炭素数８〜２４）エステル（ポリ）アルキレンオキサイド付加物（アルキレン基の炭素数２〜８，重合度＝１〜１００）［ソルビタンモノラウレートエチレンオキサイド（重合度＝１０）付加物及びメチルグルコースジオレエートエチレンオキサイド（重合度＝５０）付加物等］、脂肪酸Ｎ−ヒドロキシアルキルアミド［１：１型ヤシ油脂肪酸ジエタノールアミド及び１：１型ラウリン酸ジエタノールアミド等］、アルキル（炭素数１〜２２）（ポリ）オキシアルキレン（炭素数２〜８、重合度＝１〜１００）フェニルエーテル、アルキル（炭素数８〜２４）（ポリ）オキシアルキレン（炭素数２〜８、重合度＝１〜１００）−アミノアルキル（炭素数８〜２４）−エーテル及びアルキル（炭素数８〜２４）ジアルキル（炭素数１〜６）アミンオキシド［ラウリルジメチルアミンオキシド等］等が挙げられる。
【００６６】
アニオン性界面活性剤（ｂ−２）としては、炭素数８〜２４のアルキルエーテルカルボン酸又はその塩及び炭素数８〜２４のアルキル（ポリ）オキシエチレンエーテルカルボン酸又はその塩［（ポリ）オキシエチレン（重合度＝１〜１００）ラウリルエーテル酢酸ナトリウム及び（ポリ）オキシエチレン（重合度＝１〜１００）ラウリルスルホコハク酸２ナトリウム等］、炭素数８〜２４のアルキル硫酸エステル塩及び炭素数８〜２４のアルキル（ポリ）オキシエチレン硫酸エステル塩［ラウリル硫酸ナトリウム、ラウリル（ポリ）オキシエチレン（重合度＝１〜１００）硫酸ナトリウム及びラウリル（ポリ）オキシエチレン（重合度＝１〜１００）硫酸−トリエタノールアミン塩等］、ヤシ油脂肪酸モノエタノールアミド硫酸スルホン酸ナトリウム、炭素数８〜２４のアルキルフェニルスルホン酸塩［ドデシルベンゼンスルホン酸ナトリウム等］、炭素数８〜２４のアルキルリン酸エステル塩及び炭素数８〜２４のアルキル（ポリ）オキシエチレンリン酸エステル塩［ラウリルリン酸ナトリウム及び（ポリ）オキシエチレン（重合度＝１〜１００）ラウリルエーテルリン酸ナトリウム等］、脂肪酸塩［ラウリン酸ナトリウム及びラウリン酸トリエタノールアミン等］、アシル化アミノ酸塩［ヤシ油脂肪酸メチルタウリンナトリウム、ヤシ油脂肪酸ザルコシンナトリウム、ヤシ油脂肪酸ザルコシントリエタノールアミン、Ｎ−ヤシ油脂肪酸アシル−Ｌ−グルタミン酸トリエタノールアミン、Ｎ−ヤシ油脂肪酸アシル−Ｌ−グルタミン酸ナトリウム及びラウロイルメチル−β−アラニンナトリウム等］が挙げられる。
【００６７】
カチオン性界面活性剤（ｂ−３）としては、第４級アンモニウム塩型［塩化ステアリルトリメチルアンモニウム、塩化ベヘニルトリメチルアンモニウム、塩化ジステアリルジメチルアンモニウム及びエチル硫酸ラノリン脂肪酸アミノプロピルエチルジメチルアンモニウム等］及びアミン塩型［ステアリン酸ジエチルアミノエチルアミド乳酸塩、ジラウリルアミン塩酸塩及びオレイルアミン乳酸塩等］等が挙げられる。
【００６８】
両性界面活性剤（ｂ−４）としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ラウリルヒドロキシスルホベタイン及びラウロイルアミドエチルヒドロキシエチルカルボキシメチルベタインヒドロキシプロピルリン酸ナトリウム等］、アミノ酸型両性界面活性剤［β−ラウリルアミノプロピオン酸ナトリウム等］が挙げられる。
【００６９】
界面活性剤（ｂ）としては、１種又は２種以上が使用出来る。２種以上を使用する場合、その組み合わせとしては、例えばノニオン性界面活性剤とアニオン性界面活性剤、ノニオン性界面活性剤とカチオン性界面活性剤、及びノニオン性界面活性剤と両性界面活性剤の組み合わせ等が挙げられる。
【００７０】
（ｂ）として、洗浄性の観点から、ノニオン性界面活性剤単独での使用、及びノニオン性界面活性剤とアニオン性界面活性剤との組み合わせでの使用が好ましい。
ノニオン性界面活性剤単独で使用する場合、ノニオン性界面活性剤としては、洗浄性の観点から、脂肪族アルコール（炭素数８〜２４）エチレンオキサイド付加物（重合度＝１〜１００）、脂肪族アミン（炭素数８〜２４）エチレンオキサイドプロピレンオキサイド付加物（重合度＝１〜１００）が好ましく、さらに好ましくは脂肪族アルコール（炭素数１２〜１８）エチレンオキサイド付加物（重合度４〜２０）、脂肪族アミン（炭素数１２〜１８）エチレンオキサイドプロピレンオキサイド付加物（重合度＝４〜６０）次にさらに好ましくは脂肪族アルコール（炭素数１２〜１５）エチレンオキサイド付加物（重合度＝８〜１２）、脂肪族アミン（炭素数１６〜１８）エチレンオキサイドプロピレンオキサイド付加物（重合度＝３０〜６０）、特に好ましくはオレイルアルコールエチレンオキサイド１１モル付加物、ヘキサデシルアミンエチレンオキサイド４２モルプロピレンオキサイド１２モル付加物である。
ノニオン性界面活性剤とアニオン性界面活性剤を組み合わせて使用する場合、ノニオン性界面活性剤は上記単独で使用する場合と同様のものが好ましい。アニオン性界面活性剤としては、洗浄性の観点から、炭素数８〜２４のアルキルフェニルスルホン酸塩、脂肪酸塩、炭素数８〜２４のアルキル硫酸エステル塩及び炭素数８〜２４のアルキル（ポリ）オキシエチレン硫酸エステル塩が好ましく、さらに好ましくは、炭素数１２〜１６のアルキルフェニルスルホン酸塩及び炭素数８〜１６の脂肪酸塩、次にさらに好ましくは、ドデシルベンゼンスルホン酸モノエタノールアミン塩及びラウリン酸ナトリウムである。
【００７１】
本発明の高温洗浄用液体洗剤組成物に含まれる界面活性剤（ｂ）の含有量は、洗浄性の観点から高温洗浄用液体洗剤組成物の重量に対し、５〜８０重量％が好ましく、さらに好ましくは１０〜５０重量％、特に好ましくは２０〜４０重量％である。
【００７２】
本発明の必須成分である水は、特に限定するものではなく、水道水、イオン交換水、蒸留水及び逆浸透水等が挙げられる。
【００７３】
本発明の高温洗浄用液体洗剤組成物に含まれる水の含有量は、洗浄性の観点から、高温洗浄用液体洗剤組成物の重量に対し、５〜９５重量％が好ましく、さらに好ましくは２８〜９０重量％、特に好ましくは５４〜８０重量％である。
【００７４】
本発明の高温洗浄用液体洗剤組成物には、上記の化合物（Ａ）及び（Ｂ）、酵素（ａ）、界面活性剤（ｂ）並びに水以外に、無機塩（ｃ）、多価アルコール（ｄ）、糖（ｅ）、アルギニン以外のアミノ酸（ｆ）、ビルダー（ｇ）、アルカリ剤（ｈ）及びキレート剤（ｉ）を含有することができる。
【００７５】
無機塩（ｃ）として、塩化ナトリウム、ホウ酸ナトリウム、塩化カルシウム、塩化マグネシウム、ギ酸ナトリウム、硫酸マグネシウム及び硫酸アンモニウム等が挙げられる。
【００７６】
多価アルコール（ｄ）として、エチレングリコール、プロピレングリコール及びグリセリン等が挙げられる。
【００７７】
糖（ｅ）として、トレハロース、スクロース、デキストリン、シクロデキストリン、マルトース、フルクトース、ヒアルロン酸及びコンドロイチン硫酸等が挙げられる。
【００７８】
アルギニン以外のアミノ酸（ｆ）として、グリシン、アラニン、アスパラギン酸、アスパラギン、フェニルアラニン、トリプトファン、チロシン、ロイシン、リシン、ヒスチジン及びそれらの塩等が挙げられる。
【００７９】
ビルダー（ｇ）として、ポリ（メタ）アクリル酸塩及びポリカルボン酸｛例えば、シュウ酸、クエン酸、コハク酸及びリンゴ酸｝が挙げられる。
【００８０】
アルカリ剤（ｈ）として、例えば、苛性ソーダ、ソーダ灰、アンモニア、トリエタノールアミン、ジエタノールアミン、モノエタノールアミン及びトリポリリン酸ソーダ等が挙げられる。
【００８１】
キレート剤（ｉ）としては、液体洗剤に用いられる公知のものを用いることができる。例えば、ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸及びジエンコル酸等のアミノポリ酢酸又はこれらの塩、ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸及びカルボキシメチル酒石酸等の有機酸又はこれらの塩並びにアミノトリ（メチレンホスホン酸）、１−ヒドロキシエチリデン−１，１−ジホスホン酸、エチレンジアミンテトラ（メチレンホスホン酸）、ジエチレントリアミンペンタ（メチレンホスホン酸）又はこれらのアルカリ金属若しくは低級アミン塩等が挙げられる。
【００８２】
本発明の高温洗浄用液体洗剤組成物中に含まれる無機塩（ｃ）の含有量（重量％）は、洗浄性の観点から高温洗浄用液体洗剤組成物の重量に対し０．０１〜１０が好ましく、さらに好ましくは０．０５〜５、次にさらに好ましくは０．１〜３である。
本発明の高温洗浄用液体洗剤組成物中に含まれる多価アルコール（ｄ）の含有量（重量％）は、高温洗浄用液体洗剤組成物の均一性の観点から液体洗剤組成物の重量に対し０〜２０が好ましく、さらに好ましくは０〜１０、次にさらに好ましくは０〜５である。
本発明の高温洗浄用液体洗剤組成物中に含まれる糖（ｅ）の含有量（重量％）は、洗浄性の観点から高温洗浄用液体洗剤組成物の重量に対し０〜５が好ましく、さらに好ましくは０〜３、次にさらに好ましくは０〜１である。
本発明の高温洗浄用液体洗剤組成物中に含まれるアミノ酸（ｆ）の含有量（重量％）は、洗浄性の観点から高温洗浄用液体洗剤組成物の重量に対し０〜１０が好ましく、さらに好ましくは０〜５、次にさらに好ましくは０〜３である。
本発明の高温洗浄用液体洗剤組成物中に含まれるビルダー（ｇ）の含有量（重量％）は、洗浄性の観点から高温洗浄用液体洗剤組成物の重量に対し０〜５が好ましく、さらに好ましくは０〜３、次にさらに好ましくは０〜１である。
本発明の高温洗浄用液体洗剤組成物中に含まれるアルカリ剤（ｈ）の含有量（重量％）は、洗浄性の観点から高温洗浄用液体洗剤組成物の重量に対し０〜５が好ましく、さらに好ましくは０．１〜４、次にさらに好ましくは０．５〜３である。
本発明の高温洗浄用液体洗剤組成物中に含まれるキレート剤（ｉ）の含有量（重量％）は、洗浄性の観点から高温洗浄用液体洗剤組成物の重量に対し０〜５が好ましく、さらに好ましくは０〜３、次にさらに好ましくは０〜２である。
【００８３】
本発明の高温洗浄用液体洗剤組成物のｐＨは、洗浄性の観点から、１％（ｗ／ｗ）水溶液で７〜１１が好ましく、さらに好ましくは７〜１０である。
【００８４】
本発明の高温洗浄用液体洗剤組成物は、各成分を混合することにより得られ、製造方法は特に限定されるものではない。１例を下記に示す。
（１）水に界面活性剤（ｂ）、化合物（Ａ）及び必要により化合物（Ｂ）を加え、２５℃で均一になるまで撹拌する。
（２）酵素（ａ）以外の成分を所定量添加し均一に溶解させる。
（３）最後に酵素（ａ）を添加し溶解させ、高温洗浄用液体洗剤組成物を製造する。
【００８５】
本発明の別の実施態様は、上記の高温洗浄用液体洗剤組成物を用いて、３０℃〜７０℃で洗浄する洗浄方法である。
本発明の洗浄方法は、従来の液体洗剤組成物の使用方法において温度以外は同じでよく、特に限定されるものではない。１例を下記に示す。
（１）洗濯物が入った洗濯機に３０〜７０℃のお湯を張り、２５℃の高温洗浄用液体洗剤組成物を添加し、軽く撹拌して溶解させる。
（２）洗濯機で洗濯物を洗浄する。
（３）洗濯機から液を抜き、水道水で１〜２回すすぐ。
（４）適宜脱水をかける。
【００８６】
本発明の洗浄方法で洗浄する対象は、特に限定されないが、布製品（綿、ポリエステル等）が好ましく、特に好ましくは衣料である。
衣料の素材は、綿、綿・ポリエステル混紡が洗浄性の観点で好ましい。
【００８７】
本発明において、高温洗浄用液体洗剤組成物と、これ以外に洗浄時に加える水との比は、洗浄性の観点から０．０５／１０００〜１０／１０００が好ましく、さらに好ましくは０．１／１０００〜２／１０００である。
【００８８】
洗浄液とは、高温洗浄用液体洗剤組成物及びこれ以外に洗浄時に加える水の混合物を意味する。
【００８９】
本願発明のもう一つの実施態様は、上記の洗浄方法で使用する、洗浄液を温度調製する機構を備えた洗濯機である。洗浄液を温度調製する機構は、洗浄液を高温（３０〜７０℃が好ましい）に温度調製する機構であれば特に限定するものではないが、洗濯槽内に設置しても、洗濯槽外に設置しても良い。洗濯槽内に設置する場合の温度調製する機構としては、温度調節システム（加熱ヒーター等）が挙げられる。洗濯槽外に設置する場合の温度調製する機構としては、ガスを用いた瞬間湯沸かし器を使用する、ガスコンロ上で水が入った耐熱性の容器を加熱する、電子レンジで水を加熱する、及び太陽光エネルギーで加熱する、洗浄液を外部循環させて温度調製する等が挙げられる。
【実施例】
【００９０】
以下の実施例により本発明を更に説明するが、本発明はこれらに限定されるものではない。
【００９１】
＜製造例１＞
Ｎ−α−アセチルアルギニン｛アルギニンアセトアミド、株式会社エムピーバイオジャパン｝１２．６部（０．０５モル部）、メタンスルホン酸１部及びエタノール９２部（２モル部）を均一混合し、８０℃で５時間加熱攪拌し、エバポレーターで濃縮後、塩酸（濃度：３５重量％）５．２部（０．０５モル部）を加え中和した。その後、水から再結晶し、減圧乾燥｛６０℃、２０Ｐａ｝して、化合物（Ｂ）であるＮ−α−アセチルアルギニンエチルエステル塩酸塩を得た。
【００９２】
＜実施例１〜２７＞
表１〜３の割合で２５℃で配合し、本発明の高温洗浄用液体洗剤組成物を作製した。
【００９３】
＜比較例１〜８＞
表４の割合で２５℃で配合し、比較用の液体洗剤組成物を作製した。
【００９４】
実施例１〜２７及び比較例１〜８で作製した液体洗剤組成物を用いて下記の洗浄性試験をおこなった。
【００９５】
＜洗浄性試験＞
実施例１〜２７及び比較例１〜８で得た液体洗剤組成物のそれぞれについて、液体洗剤組成物を作製した直後及び２５℃で３ヶ月保管した後に、液体洗剤組成物及び水を表１〜４に記載の量混合して、洗浄液を得た。この洗浄液に、湿式人工汚染布（４ｃｍ×４ｃｍ）５枚を投入し、ターゴトメーター（大栄化学製）に洗浄液を外部循環して加熱する装置を取り付け、以下の条件にて洗浄及びすすぎをした後、布を取り出し、ギヤーオーブン（ＴＡＢＡＩ製、ＧＰＳ−２２２）を用いて７０℃で６０分間乾燥し、試験布を得た。
ついで、多光源分光測色計（スガ試験機製）を使用して、この試験布の５４０ｎｍの反射率を、試験布１枚ごとに表裏２個所ずつ計４個所（試験布５枚で合計２０個所）測定し、この平均値を求め、以下の式にて洗浄率（％）を算出した。
（洗浄条件）
時間：表１〜４に記載の洗浄時間（分）
温度：表１〜４に記載の洗浄温度（℃）
回転速度：１２０ｒｐｍ
（すすぎ条件）
時間：１分
温度：２５℃
回転速度：１２０ｒｐｍ
（洗浄性評価）
洗浄率（％）＝｛（ＲW−ＲS）／（ＲI−ＲS）｝×１００
なお、ＲIは清浄布の反射率、ＲWは洗浄布の反射率、ＲSは汚染布の反射率を示す。
また、使用した湿式人工汚染布は、表５の汚垢組成を有する財団法人洗濯科学協会製の湿式人工汚染布（５４０ｎｍにおける反射率が４０±５％）である。
結果を表１〜４に示す。
【００９６】
【表１】
2011174054.tif 000010
【００９７】
【表２】
2011174054.tif 000011
【００９８】
【表３】
2011174054.tif 000012
【００９９】
【表４】
2011174054.tif 000013
【０１００】
表１〜４中の活性剤（ｂ）、酵素（ａ）、化合物（Ａ）及び化合物（Ｂ）は、下記のものを使用した。
ドデシルベンゼンスルホン酸ナトリウム：和光純薬工業（株）製
プロテアーゼ：和光純薬工業（株）製
セルラーゼ：和光純薬工業（株）製
リパーゼ：和光純薬工業（株）製
アミラーゼ：和光純薬工業（株）製
グアニジン塩酸塩：和光純薬（株）製
尿素：和光純薬工業（株）製
アルギニン塩酸塩：和光純薬工業（株）製
なお、表１〜４中、各成分の割合は、重量部で示した。
【０１０１】
【表５】
2011174054.tif 000014
【０１０２】
比較例１〜４に示す従来の液体洗剤組成物は、液体洗剤組成物の作製直後は高温での洗浄性が高いものの、２５℃で３ヶ月保管後には洗浄性が低くなっている。また、（Ｂ）を含まない比較例５、比較例６は、比較例１〜４と同様に保管後の洗浄性が低下する。また、（Ａ）（Ｂ）を含むが（ｂ）を含まない比較例７は、保存による洗浄率低下はないが、洗浄率そのものが低く洗浄剤として使用できるレベルでない。また、（ａ）を含まない比較例８においても、保存による洗浄率の低下はないが、洗浄率が低く洗浄剤として使用できるレベルではない。
一方、化合物（Ａ）を含む実施例１〜２７の高温洗浄用液体洗剤組成物は、作製直後の高温での洗浄性が高く、さらに２５℃で３ヶ月保管後も、作製直後と洗浄性がほとんど変化せず、高く維持されている。さらに、実施例１（化合物（Ａ）及び（Ｂ）を含む）及び２４（化合物（Ｂ）を含まない）の比較から、化合物（Ａ）及び（Ｂ）を含む高温洗浄用液体洗剤組成物の方が、作成直後及び保存後の洗浄性が優れていることがわかる。
【産業上の利用可能性】
【０１０３】
本発明の高温洗浄用液体洗剤組成物は、酵素の酵素活性の持続性が良く、高温でも高い洗浄性を持続し、特に衣料用液体洗剤組成物に使用できる。